(57)【要約】      （修正有）【課題】使用エネルギーが少なく節電ができる。より効率が良いので超小型になり、安価に製造できる。AC電源はもとより、USBやリチウムバッテリなどの様々な電源を使用出来る。コンピュータのUSBを使い机上で使用できる。又オフィスでAC電源により使用できる。家庭でバッテリにより携帯用として外出先で使用できる。服につけて体を冷却又は暖房出来るなど、従来のエアコンではできなかった個人空間用エアコン、携帯エアコン、机上エアコン、頭脳向上、健康促進が出来る上、節電もできるという画期的な究極の超小型で節電エアコンを提供する。【解決手段】冷熱素子の冷却面と放熱面を同時に送風し、更に冷風と暖風を分離して排出させることにより冷気又は暖気を得る。【選択図】図１０
2013032855.tif 000002
【特許請求の範囲】
【請求項１】
冷熱素子の冷却面と放熱面を同時に送風し、更に冷風と暖風を分離して排出させることにより冷気又は暖気を得る事を特徴とする超小型節電冷暖房装置
【発明の詳細な説明】
【技術分野】
【０００１】
本発明の技術分野は、節電超小型でコンピュータ使用者が机上で使用したり携帯出来る事を特徴とした超小型節電冷暖房装置に関する。
【背景技術】
【０００２】
図１のＡは先行技術の冷暖房装置を説明した図である。モータと圧縮機９３で、圧縮された気体は、高温気体９４となり、凝縮器９５を通る。このとき、周りの空気の放熱９６を行う。高温気体３７は膨張弁３８に入り減圧される。すると、高温気体３７は低温気体９９となり、蒸発器１００を通る。このとき、周りの空気の冷却１０１を行う。冷温気体１０２は、またレシプロ圧縮機９３に入って圧縮され、高温気体１０４となる。このサイクルを繰り返して、周りの空気の放熱９６および冷却１０１を行う。暑い時期においては、部屋の中で空気の冷却１０１を行い、部屋の外で空気の放熱９６を行う。寒い時期においては、この逆である。
【０００３】
図１のBはレシプロ圧縮機９３の仕組みを説明した図である。シリンダー１０３内のピストン１０４の往復運動１０５により、シリンダー１０３内の気体１０６が圧縮または膨張する。気体１０６が圧縮する場合、吸気弁１０７が閉じて、排気弁１０８が開いて、排気口１１１から排気１１２がなされる。気体１０６が膨張する場合、吸気弁１０７が開いて、排気弁１０８が閉じて、吸気口１０９からから吸気１１０がなされる。このように、シリンダー１０３内のピストン１０４の往復運動１０５により、気体１０６を圧縮または膨張させている。これが先行技術である冷暖房装置の一般的仕組みである。図１のA、Bで説明する先行技術の冷暖房装置は、機械的な動力を用いている点において、節電は難しくその上機器の大型化および大型化に伴う高価格化が問題となる。
【発明の概要】
【発明が解決しようとする課題】
【０００４】
先行技術の冷暖房装置に比べ、小型で節電効果の高い超小型節電冷暖房装置を創る。
【課題を解決するための手段】
【０００５】
冷熱素子の冷却面と放熱面を同時に送風し、更に冷風と暖風を分離して排出させることにより冷気又は暖気を得る事を特徴とする超小型節電冷暖房装置
【発明の効果】
【０００６】
使用エネルギーが少なく節電ができる。より効率が良いので超小型になり、安価に製造できる。AC電源はもとより、USBやリチウムバッテリなどの様々な電源を使用出来る。コンピュータのUSBを使い机上で使用できる。又オフィスでAC電源により使用できる。家庭でバッテリにより携帯用として外出先で使用できる。服につけて体を冷却又は暖房出来るなど、従来のエアコンではできなかった個人空間用エアコン、携帯エアコン、机上エアコン、頭脳向上、健康促進が出来る上、節電もできるという画期的な究極の超小型で節電エアコンである。座って又は寝ながら人体に用いて頭寒足熱により健康を良くし、頭の働きを良くする。
【図面の簡単な説明】
【０００７】
【図１】Ａは先行技術の冷暖房装置を説明した図である。          Ｂはレシプロ圧縮機を説明した図である。
【図２】ＡはＮ型ペルティエ原理の説明図である。          ＢはＰ型ペルティエ原理の説明図である。          Ｃは集積ペルティエ素子を説明した図である。
【図３】ペルティエ素子およびファンへのＵＳＢ端子による電源供給を示した図である。
【図４】本発明の超小型節電冷暖房装置の実施例１の横断面図である。
【図５】本発明の超小型節電冷暖房装置の実施例１の縦断面図である。
【図６】本発明の超小型節電冷暖房装置の実施例１の上面図である。
【図７】本発明の超小型節電冷暖房装置の使用説明見取図である。
【図８】本発明の超小型節電冷暖房装置の実施例２の縦断面図である。
【図９】本発明の超小型節電冷暖房装置の実施例２の上面図である。
【図１０】本発明の超小型節電冷暖房装置の実施例３の断面図である。
【図１１】本発明の超小型節電冷暖房装置の実施例３の見取図である。
【図１２】本発明の超小型節電冷暖房装置の実施例４の断面図である。
【図１３】本発明の超小型節電冷暖房装置の実施例５の断面図である。
【図１４】本発明の超小型節電冷暖房装置の実施例６の見取図と使用法である。
【図１５】本発明の超小型節電冷暖房装置の実施例７の使用法である。
【図１６】本発明の超小型節電冷暖房装置の実施例８の断面図と使用法である。
【図１７】本発明の超小型節電冷暖房装置の実施例９のその他の使用法である。
【図１８】本発明の超小型節電冷暖房装置の実施例１０の見取図である。
【図１９】Ａは本発明の超小型節電冷暖房装置の実施例１１の説明図である。          Ｂは本発明の超小型節電冷暖房装置の実施例１２の説明図である。
【図２０】Ａは本発明の超小型節電冷暖房装置の実施例１３の断面図である。          Ｂは本発明の超小型節電冷暖房装置の実施例１４の説明図である。
【図２１】本発明の超小型節電冷暖房装置の実施例１５の断面図である。
【発明を実施するための形態】
【実施例１】
【０００８】
図４は本発明の超小型節電冷暖房装置の断面図である。１は冷風送風菅、２は冷風出口、３は暖風送風菅、４は暖風出口、５は筐体、６はゴム足、７はペルティエ素子、８はファン、９は吸気窓、１０は電源ケーブル、１１はUSB端子、１２は暖冷仕切り板、１３吸気、１４はモータ、１５は冷風送風、１６は暖風送風、１７は冷却面、１８は放熱面、１９は冷風、２０は暖風、２１は冷風、２２は暖風である。  
【０００９】
図２のAはＮ型ペルティエ原理の説明図である。金属５３とN型半導体５４と金属５５を接続すると、それぞれの伝導帯エネルギー位置５６、５７、５８の間にギャップを生じる。金属５３と金属５５の間に配線５９を繋いで直流電源６０を繋ぐと電流６１が流れる。電子６２は進行方向６３を持つが、伝導帯エネルギー位置５６と伝導帯エネルギー位置５７のギャップにおいて電子６２は吸熱６４を行い、伝導帯エネルギー位置５７と伝導帯エネルギー位置５８のギャップにおいて電子６２は放熱６５を行う。したがって、Ｎ型熱発電素子では電流を流すと、マイナスの金属５３で吸熱６４が生じ、プラスの金属５５で放熱６５を生じる。
【００１０】
図２のBはP型ペルティエ原理の説明図である。金属５３とP型半導体６６と金属５５を接続すると、それぞれの伝導帯エネルギー位置５６、６７、５８の間にギャップを生じる。金属５３と金属５５の間に配線５９を繋いで直流電源６０を繋ぐと電流６１が流れる。電子６２は進行方向６３を持つが、伝導帯エネルギー位置５６と伝導帯エネルギー位置６７のギャップにおいて電子６２は放熱６５を行い、伝導帯エネルギー位置６７と伝導帯エネルギー位置５８のギャップにおいて電子６２は吸熱６４を行う。したがって、P型熱発電素子では電流を流すと、マイナスの金属５３で放熱６５が生じ、プラスの金属５５で吸熱６４を生じる。
【００１１】
図２のCはペルティエ素子を説明した図である。P型半導体６８とN型半導体６９を交互に並べて、金属電極７１、７２、７３、７０のように接続していき、金属電極７１と金属電極７０の間に配線５９を繋いで直流電源６０を繋ぐと電流６１が流れる。すると、図２のAとBで説明したように、放熱６５と吸熱６４が生じる。多数のP型半導体６８とN型半導体６９を交互に並べることで、放熱６５側には放熱面ができ、吸熱６４側には冷却面ができる。冷却面と放熱面はそれぞれセラミック７４、７５で補強されている。これが一般的なペルティエ素子の構造である。
【００１２】
まず、USB端子１１を机の上などのパソコンにあるＵＳＢ差込口に差し込むと、ＵＳＢ端子１１から電源ケーブル１０へ直流電流が供給される。モータ１４への直流電流の供給によりファン８は回転し、空気は筐体５の中へゴム足６で浮いた空間を通り、ファン８のケース３２の下側の吸気窓９から吸気１３される。ファン８により、送風１５、１６が行われる。直流電流の供給により、ペルティエ素子７は放熱面１８で放熱を行い、冷却面１７で冷却を行う。放熱面１８を冷やす空気は暖風２０となる。冷却面１７により冷やされた空気は冷風１９となる。暖風２０は暖風送風菅３により暖風出口４へ送られて暖風２０となって、暖風出口４から排出される。冷風１９は冷風送風管１により冷風出口２へ送られて、冷風出口２から排出される。暖冷仕切り板１２は熱せられた空気と冷やされた空気が混じらないためにある。ゴム足６は超小型節電冷暖房装置を支え、滑り止めであると同時に、筐体５の下のファン８のファンケース３２の吸気窓９から吸気１３を行うための隙間を提供する。
【００１３】
図３はペルティエ素子７とファン８に直流電流を提供するための配線について説明した図である。２３はペルティエ素子プラス線、２４はペルティエ素子マイナス線、２５はファンプラス線、２６はファンマイナス線、２７は接続端子である。USB端子１１は５Ｖ直流電流を電源ケーブル１０により提供する。接続端子２７において、電源ケーブル１０のプラス線にペルティエ素子プラス線２３とファンプラス線２５を接続し、電源ケーブル１０のマイナス線にペルティエ素子マイナス線２４とファンマイナス線２６を接続する。つまり、ペルティエ素子７とファン８は、接続端子２７において並列接続となる。並列接続により、ペルティエ素子７とファン８は５Ｖ直流電流が供給される。図３では並列接続の例を示したが、ペルティエ素子７とファン８は直列接続をしても良い。
【００１４】
図５は本発明の超小型節電冷暖房装置の実施例１の図３を直角方向から見た断面図である。ファンケース３２とペルティエ素子７のサイズが合わない場合に、冷却が暖却とミックスする事を防止する暖冷仕切り板１２とペルティエ素子７により、筐体５は放熱面１８の側と冷却面１７の側に完全に分けられ、冷熱効率が最高になって熱せられた空気と冷やされた空気が有効に混じらないようになって排出される。
【００１５】
図６は本発明の超小型節電冷暖房装置の実施例１の上面図である。筐体５、暖冷仕切り板１２、ペルティエ素子７、冷風送風菅１、暖風送風菅３、ファン８の関係が判る説明図である。この図からも暖冷仕切り板１２とペルティエ素子７による壁により、筐体５は冷却面１７の側と放熱面１８の側に完全に分けられ、熱せられた空気と冷やされた空気が混じらないようになっている。筐体５の冷却面１７の側の冷風１９がファン８により冷風送風菅１を通って冷風出口２から排出される。筐体５の放熱面１８の側の暖風２０がファン８により暖風送風菅３を通って暖風出口４から排出される。
【００１６】
図７は本発明の超小型節電冷暖房装置の使用方法を説明した図である。超小型節電冷暖房装置を机の上に置いたとき、ゴム足６は筐体５と机の間に隙間つくる。この隙間より吸気１３が行われる。ファン８の回転により、ペルティエ素子７によって冷却された空気が冷風１９となって冷風送風菅１を通り、冷風出口２から冷風２１となって排出される。また、ファン８の回転により、ペルティエ素子７によって放熱された空気が暖風２０となって暖風送風菅３を通り、暖風出口４から暖風２２となって排出される。暑いときは、顔３１に冷風出口２を向けて、冷風２１を顔３１に当てると涼しくなる。また、寒いときは、顔３１に暖風出口４を向けて、暖風２２を顔３１に当てると暖かくなる。
【００１７】
人は局所的に冷たい風を体に当てることで体をひやすことができる。また、人は局所的に暖かい風を体に当てることで体をあたためることもできる。したがって、本発明の超小型節電冷暖房装置により、ファン８の風を、冷風送風菅１、暖風送風菅３、冷風出口２、暖風出口４により、必要な場所に冷風２１や暖風２２を送風し、局所的に冷又は暖する事により部屋全体を冷又は暖をしなくても冷暖の効果がある。夏期電力需要を減らすための大きな節電となり、又ポータビリティーも可能となる画期的な発明である。
【００１８】
実施例１で実施したペルティエ素子７は３０×３０ｍｍであり、冷風送風菅１、暖風送風菅３、冷風出口２、暖風出口４の内径は８ｍｍФとした。USBから５Vを供給する。３０×３０ｍｍを超える大きさのペルティエ素子７を使用し、電圧および電流とも大きくなり、ＵＳＢ端子による電源では足りなくなる場合は、本発明の他の実施例に示す。
【実施例２】
【００１９】
図８は本発明の超小型節電冷暖房装置の実施例２の断面図であり、実施例１の図５に対応する。ペルティエ素子７とファン８と筐体５のサイズを合わせることにより、実施例２では暖冷仕切り板１２を無くして、ペルティエ素子７のみで仕切り板を兼用し、筐体５を冷却面１７と放熱面１８に暖冷仕切り板１２無しに完全に分けて、冷却された空気と放熱された空気が混じらないようにするので暖冷仕切り板１２による放冷放熱の熱損失が少なく、且つ筐体５も小さくなり、熱効率向上、小型化、コストダウン、般帯客器、転置、在庫保利となる実施例である。
【００２０】
図９は本発明の超小型節電冷暖房装置の実施例２の上面図であり、実施例１の図６に対応する。筐体５、ペルティエ素子７、冷風送風菅１、暖風送風菅３、ファン８である。この図からもペルティエ素子７とファン８と筐体５の寸法を同じにする事により、筐体５は冷却面１７と放熱面１８が完全に分けられ、熱せられた空気と冷やされた空気が混じらないようになっている。筐体５の冷却１７の側の冷風１９がファン８により冷風送風菅１を通って排出される。筐体５の放熱面１８の側の暖風２０がファン８により暖風送風菅３を通って排出される。
【００２１】
先行技術から分かるように冷暖房の技術は、放熱と冷却が同時に発生する技術であるので、冷却面１７と放熱面１８を如何に効率的に冷却、放熱ができるかが重要なポイントとなる。したがって、筐体５をペルティエ素子７またはペルティエ素子７及び暖冷仕切り板１２を用いて、筐体５を冷却面１７の側と放熱面１８の側に完全に分けて、熱せられた空気と冷やされた空気が混じらないように急速に除去することは、熱効率が良い節電ができ、小型化ができる冷暖房装置を得る効果がある。
【００２２】
実施例２で実施したペルティエ素子７は３０×３０ｍｍであり、冷風送風菅１、暖風送風菅３、冷風出口２、暖風出口４の内径は１３ｍｍФである。
【００２３】
ペルティエ素子７はペルティエ効果による放熱に加え、ペルティエ素子の持つ抵抗による放熱もある。したがって、ペルティエ素子７を冷却に使用する場合は、ファン等で放熱をする必要がある。本発明の超小型節電冷暖房装置においては、冷風１９、暖風２０の送風用と、放熱用に、ペルティエ素子７の冷却面１８と放熱面１７に垂直にファン８を設けた。ペルティエ素子７の冷却面１７と放熱面１８をファン８に垂直にすることにより、１つのファン８で送風と放熱が同時に行える効果がある。
【００２４】
実施例１および実施例２は、会社のオフィス等で、パソコンからＵＳＢを使って電源をとり、机の上に置いて涼しさ又は暖かさを提供できる効果がある。さらに、持ち運びができ、節電ができ、小さいが故に安価に製作できる効果がある。最近では電池でＵＳＢ用の電源を提供できる装置もコンビニエンスストアーで売ってるので、野外でも使用できる効果がある。家庭用の１００ＶコンセントからＵＳＢ用電源に変換する装置もあるので、家庭用の１００Ｖ電源を用いても使用できる。世界各国は家庭用電源の規格が違うが、ＵＳＢの規格は世界共通であるので、本発明装置は改変なしで世界各国にて使用することができる効果がある。
【実施例３】
【００２５】
図１０は本発明の超小型節電冷暖房装置の実施例３の断面図である。２９は冷風出口、３０は暖風出口、３８はリチウムバッテリ、３９はバッテリケース、下板４０である。実施例３では冷風送風菅１と暖風送風菅３を無くして、筐体５の側面下部に冷風出口２９と暖風出口３０を設けている。実施例１および実施例２よりも携帯性が良くなっている。ファン８の位置を上下逆にし、筐体５の下側にバッテリケース３９を設けて、その中にリチウムバッテリ３８を入れる。リチウムバッテリ３８をバッテリケース８１にパッチリ入れると、リチウムバッテリ３８がペルティエ素子７とファン８に並列接続されて、ファン８が回転し、ペルティエ素子７が冷却面１８で冷却を始め、放熱面１７で放熱を始める。ファン８の回転により、上部の吸気窓９から吸気１３を行い、冷却面１７で冷却された空気が、冷風送風１５により、冷風出口２９に押し出され、冷風２１となって排出される。同時にファン８の回転により、吸気窓９から吸気１３を行い、放熱面１８で放熱された空気が、暖風送風１６により、暖風出口３０に押し出され、暖風２２となって排出される。
【００２６】
図１１は本発明の超小型節電冷暖房装置の実施例３の見取図である。ファン８の回転により、吸気１３が行われ、冷却面１７で冷却された空気が、冷風送風１５により、冷風出口２９に押し出され、冷風２１となって排出される。また、ファン８の回転により、吸気１３を行い、放熱面１８で放熱された空気が、暖風送風１６により、暖風出口３０に押し出され、暖風２２となって排出される。
【００２７】
実施例３に示すペルティエ素子７は３０×３０ｍｍであり、冷風出口２９、暖風出口３０のサイズは幅２８ｍｍ高さ１０ｍｍとした。人は局所的に冷たい風を体に当てることで体をひやすことができる。また、人は局所的に暖かい風を体に当てることで体をあたためることもできる。実施例３の超小型節電冷暖房装置は小型で携帯性が良いので、本発明装置を手に持ち、冷風出口２９からの風を顔３１に当てると涼しくなるし、暖風出口３０を身体の冷えた部分に当てれば暖かくなる。又、持ち運んで必要な場所に冷風２１や暖風２２を送風できる効果がある。
【実施例４】
【００２８】
図１２は本発明の超小型節電冷暖房装置の実施例４の断面図である。実施例３のリチウムバッテリ３８のサイズを大きくし、バッテリ容量を大きくしたので筐体５よりはみ出る。この部分を出張部４１、４２とする。４３は充電端子、４４は充電コネクタ、４５はＤＣ５ＶからＡＣ１００Ｖへの変換ソケット。前記出張部４１、４２を利用して風流のガイドラインに兼用し、冷風２１及び暖風２２の風方向を加速し、遠くに到達させる。リチウムバッテリ３８、又はケースを設けた場合はケースに充電端子４４を設けることで、充電端子４３に充電コネクタ４４を差し込み、変換ソケット４５をAC１００V電源に差し込んで、リチウムバッテリ３８を充電することができる。
【実施例５】
【００２９】
図１３は本発明の超小型節電冷暖房装置の実施例５で香料を含んだ和紙などの香付シート３３を乗せたものである。ファン８の吸気窓９側に香付シート３３を置くことで、香のついた冷風２１と暖風２２が出される。香によるリラックス効果が得られる。
【実施例６】
【００３０】
図１４は本発明の超小型節電冷暖房装置の実施例６の断面図である。５０は冷却フィン、５１は放熱フィンである。実施例５は実施例３の冷却面１７と放熱面１８に、それぞれ冷却フィン５０と放熱フィン５１が取り付けてある。冷却フィン５０または放熱フィン５１を取り付ける理由は、冷却面１７や放熱面１８に比べて、空気に触れる面積をより大きくし、熱伝導を良くするためである。筐体５の中の空気は冷却フィン５０により冷やされ、放熱フィンにより暖められる。冷却フィン５０よりも放熱フィン５１が大きいのはペルティエ効果による放熱に加え、半導体素子の放熱も加わるからである。大きい放熱器５１により放熱面１８の温度を下げると、冷却面１７の温度をより下げることができ、冷却効率を上げることができる。
【００３１】
本発明の実験では８．３×８．３×２．４ｍｍの小さいペルティエ素子７で十分な効果が得られた本装置を本発明者は試作し、縦３０ｍｍ横３０ｍｍ高さ３０ｍｍ、容積２７&#13220;、重さ４１ｇの世界最小、最軽量のエアコンで冷却温度１４．５℃でこれは大型エアコンを２４℃に設定した時の冷風出口と同じ温度であり、しかも６畳用エアコンが４００ワットの電力が必要なのに対し、本発明は僅か４ワット即ち百分の一の電力で同じ効果を持ち得る画期的発明である。
【００３２】
福島の原発事故では９９％の高湿度、高温の中、防護服を着て汗ビショの作業員の困難を、本発明ミニクーラーを服内に入れれば、湿度を下げ体温を下げ作業をしやすくする。
【実施例７】
【００３３】
図１５は本発明の超小型節電冷暖房装置の実施例７の断面図である。５２は放熱ゲルシートである。実施例７では放熱面１８に放熱ゲルシート５２を貼り付ける。放熱ゲルシート５２は熱を遠赤外線として放熱することができる。放熱ゲルシート５２により放熱面１８の温度を下げると、冷却面１７の温度をより下げることができ、冷却効率を上げることができるので小型のペルティエ素子を使用できる。
【実施例８】
【００３４】
図１６は本発明の超小型節電冷暖房装置の実施例８の断面図である。９０は温度コントローラーである。放熱面１８の温度が上がりすぎると、冷却面１７の温度が上がり冷却効率が悪くなる。そこで、放熱面１８の温度がある上限温度を上回るとリチウムバッテリ３８からペルティエ素子７への電流供給をストップし、ある下限温度を下回るとリチウムバッテリ３８からペルティエ素子７への電流供給を再開する温度コントローラー９０を設けたのもである。
【実施例９】
【００３５】
図１７は本発明実施例９であり、図１４との差はペルティエ素子７が図４より小さく、その周りの放熱ため、冷と暖を分ける壁５−２を設けたものである。
【実施例１０】
【００３６】
図１８は本発明の超小型節電冷暖房装置の実施例１０の見取図である。３４は筐体５の下板４０に設けたスタンド取付スクリュー、３５はスタンド取付スクリュー３４に取り付けるスタンド棒、３６はスタンド棒３５を支えるスタンド台である。３７はAC１００V−USB変換器である。図１８では、USB端子１１と電源ケーブル１０がペルティエ素子７およびファン８と並列接続になっており、USB端子１１にAC１００V−USB変換器３７を差し、AC１００V−USB変換器３７のソケットをAC１００Vに差して、ペルティエ素子７およびファン８へAC１００Vの電源供給を行うことができるようになっているので、居間など一般家庭で使う場合はスタンド棒３５を高くして冷風出口２９や暖風出口３０を必要な高さにする。暖風２２の暖風出口３０で暖を取る場合は１８０度逆向きにする。
【実施例１１】
【００３７】
図１９のAは本発明の超小型節電冷暖房装置の実施例１１を示した図である。８４は冷暖房衣、８５と８６は超小型節電冷暖房装置、８７は冷暖房衣８４の胸ポケット、８８も超小型節電冷暖房装置である。夏の暑い時期に超小型節電冷暖房装置８５、８６の冷風出口２９を、シャツ８４の生地側に取り付けると、冷風出口２９から冷暖房衣８４の生地を通して冷風２１が冷暖房衣８４の中に入ってくるので、冷暖房衣８４の中の温度が下がり、冷暖房衣８４を着ている人は涼しさを感じる。冬の場合は暖風出口３０を服側に向くように設ける。
【実施例１２】
【００３８】
図１９のＢは実施例１２を示し、冷暖房衣８４の胸ポケット８７へ超小型節電冷暖房装置８８を入れる。超小型節電冷暖房装置８８の冷風出口２９を、体側の生地に向けると、冷風出口２９から冷暖房衣８４の生地を通して冷風２１が冷暖房衣８４の中に入ってくるので、冷暖房衣８４の中の温度が下がり、冷暖房衣８４を着ている人は涼しさを感じる。本発明により節電しながら涼しい。寒い時期には、冷風出口２９と暖風出口２９の方向を逆にすると良い。
【００３９】
本発明の超小型節電冷暖房装置の実施例１、実施例２および実施例３に共通しているところは、ペルティエ素子７により、筐体５は冷却面１７の側と放熱面１８の側に完全に分けられ、冷やされた空気と熱せられた空気が混じらないようになっていることと、ペルティエ素子７の冷却面１７と放熱面１８に垂直に送風１５、１６がなされて、細い冷風出口２および暖風出口４からそれぞれ冷風２１および暖風２２が排出出されるという特徴である。この構造により、冷風２１と暖風２２を排出させる送風１５と送風１６の役割と、とペルティエ素子７の放熱の役割を兼ねることができ、ペルティエ素子７を用いて上記に説明したような効果的な超小型節電冷暖房装置が可能となる。
【実施例１３】
【００４０】
図２０のＡは本発明の超小型節電冷暖房装置の実施例１３の断面図である。図２０のAの５−１は本発明の超小型節電冷暖房装置、３０−１は暖風パイプ管、４６は暖気排出パイプである。実施例１３では、暖風出口３０−１を丸いパイプ管にし、パイプ４６を繋げる超小型節電冷暖房装置となる。冷風口２９は実施例３と同様である。
【実施例１４】
【００４１】
図２０のBは実施例１４の超小型節電冷暖房装置の使用法である。４９は椅子、４７−１は人の後頭部、４７−２は額、４６はパイプ、４８は足裏である。椅子４９の頭の位置に実施例１３の超小型節電冷暖房装置５−１を置く。冷風口２９を後頭部４７−１に向ける。パイプ４６の出口は足裏４８に向けられている。人は、後頭部４７−１では冷風２１を受けて冷却され、足裏４８では暖風２２を受けて暖かくなり、頭寒足熱となる。
【実施例１５】
【００４２】
図２１は本発明の超小型節電冷暖房装置の実施例１５である。４９は枕である。この使用法で人はベッド５０の上に寝ている。人の顔の上に図１９Ａの超小型節電冷暖房装置５−１を置く。冷風口２９を額４７−２にのせる。暖風パイプ管４２はパイプ４３が繋がっており、パイプ４３の出口は足裏４８に向けられている。人は、前頭葉つまり額４７−２では冷風２１を受けて涼しく、足裏４８では暖風２２を受けて暖かくなる。これによりリラクゼーション効果が出て頭の疲れや足の疲れや睡眠不足が取れる。
【実施例１６】
【００４３】
本発明装置の冷風出口２９を向けて部分的に除湿したり、暖風出口３０を向けて部分的に加湿することができる。
【産業上の利用可能性】
【００４４】
節電して冷暖房出来、しかも超小型で安価なので、コンピュータと共にオフィスや工場や自宅でくつろで快適に、衣服につけて野外で冷暖房が快適に、又、医学上健康維持、治療、勉強や頭を使う人の頭脳活性化など広い範囲に手軽に小型、軽量、安価の上、節電によりエアコンが出来る画期的発明である。
【符号の説明】
【００４５】
１                         冷風送風菅
２                         冷風出口
３                         暖風送風菅
４                         暖風出口
５                         筐体
５−１                  超小型節電冷暖房装置
５−２                  壁（筐体５とは別の例）
６                         ゴム足
７                         ペルティエ（冷熱）素子
８                         ファン
９                         吸気窓
１０                     電源ケーブル
１１                     USB端子
１２                     暖冷仕切り板
１３                     吸気
１４                     モータ
１５                     冷風送風
１６                     暖風送風
１７                     （冷熱素子）冷却面
１８                     （冷熱素子）放熱面
１９                     冷風
２０                     暖風
２１                     （出た）冷風
２２                     （出た）暖風
２３                     ペルティエ（冷熱）素子プラス線
２４                     ペルティエ（冷熱）素子マイナス線
２５                     ファンプラス線
２６                     ファンマイナス線
２７                     接続端子
２９                     冷風出口
３０                     暖風出口
３１                     （人の）顔
３２                     ファンケース
３３                     香付シート
３４                     スタンド取付スクリュー
３５                     スタンド棒
３６                     スタンド台
３７                     AC１００V−USB変換器
３８                     リチウムバッテリ
３９                     バッテリケース
４０                     （筐体）下板
４１                     大型バッテリ出張部（冷風ガイド兼用）
４２                     大型バッテリ出張部（暖風ガイド兼用）
４３                     充電端子
４４                     充電コネクタ
４５                     ＤＣ５ＶからＡＣ１００Ｖへの変換ソケット
４６                     （暖風送り）パイプ
４７−１              後頭部
４７−２              前頭葉（額）
４８                     足裏
４９                     椅子
５０                     冷却フィン
５１                     放熱フィン
５２                     放熱ゲルシート
５３                     （マイナス極）金属
５４                     N型半導体
５５                     （プラス極）金属
５６                     伝導帯エネルギー位置
５７                     伝導帯エネルギー位置
５８                     伝導帯エネルギー位置
５９                     配線
６０                     直流電源
６１                     電流
６２                     電子
６３                     進行方向
６４                     吸熱
６５                     放熱
６６                     P型半導体
６７                     伝導帯エネルギー位置
６８                     P型半導体
６９                     N型半導体
７０                     金属電極
７１                     金属電極
７２                     金属電極
７３                     金属電極
７４                     セラミック
７５                     セラミック
８０                     充電端子
８１                     充電コネクタ
８２                     ケーブル
８３                     充電器
８４                     冷暖房作業衣
８５                     胸に付けた本発明装置（超小型冷暖房装置）
８６                     背中に付けた本発明（超小型冷暖房装置）
８７                     （ワイシャツ）胸ポケット
８８                     ワイシャツ胸ポケットに入れて冷房する本発明装置（超小型冷暖房装置）
９０                     温度コントローラー
９３                     モータと圧縮機
９４                     高温気体（フレオン、フロン等冷媒）
９５                     凝縮器（コンデンサ）
９６                     放熱熱
９７                     高温気体
９８                     膨張弁
９９                     低温気体
１００                  蒸発器（エバボレーター）
１０１                  冷却
１０２                  低温気体
１０３                  シリンダー（又はロータリ筐体）
１０４                  ピストン（又はロータリ弁）
１０５                  往復運動（又はロータリ回転）
１０６                  気体（冷媒）
１０７                  吸気弁
１０８                  排気弁
１０９                  吸気口
１１０                  吸気
１１１                  排気口
１１２                  排気
【図１】
2013032855.tif 000003
【図２】
2013032855.tif 000004
【図３】
2013032855.tif 000005
【図４】
2013032855.tif 000006
【図５】
2013032855.tif 000007
【図６】
2013032855.tif 000008
【図７】
2013032855.tif 000009
【図８】
2013032855.tif 000010
【図９】
2013032855.tif 000011
【図１０】
2013032855.tif 000012
【図１１】
2013032855.tif 000013
【図１２】
2013032855.tif 000014
【図１３】
2013032855.tif 000015
【図１４】
2013032855.tif 000016
【図１５】
2013032855.tif 000017
【図１６】
2013032855.tif 000018
【図１７】
2013032855.tif 000019
【図１８】
2013032855.tif 000020
【図１９】
2013032855.tif 000021
【図２０】
2013032855.tif 000022
【図２１】
2013032855.tif 000023
【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
ファンの回転軸の軸方向に冷熱素子を設け、且つ前記ファンからの一つの空気流を前記冷熱素子自体で二つの流れに分離し、前記二つの流れは冷気と暖気となり、これらを同時に且つ別々に得ることを特徴とする超小型節電冷暖房装置。
【手続補正２】
【補正対象書類名】明細書
【補正対象項目名】０００５
【補正方法】変更
【補正の内容】
【０００５】
ファンの回転軸の軸方向に冷熱素子を設け、且つ前記ファンからの一つの空気流を前記冷熱素子自体で二つの流れに分離し、前記二つの流れは冷気と暖気となり、これらを同時に且つ別々に得ることを特徴とする。